(57)【要約】【課題】タイル貼り用建材として、タイル貼り施工時の施工容易性を損なうことなく建材を安価に提供する事を課題とする。【解決手段】表面が平滑な基板であって、壁基材１０に固定可能な壁下地用壁板２と、タイル５の裏面係合溝４に係合できる延出片６に壁下地用壁板２表面に沿う基部７を一体に設けた断面形状の長尺体８とからなり、長尺体８の基部７から壁基材１０へ打ちこんだ締結部材９により長尺体８と壁下地用壁板２とが固定される。【選択図】　図１
2004052475.tif 000002
【特許請求の範囲】
【請求項１】
表面が平滑な基板であって、壁基材に固定可能な壁下地用壁板と、該壁下地用壁板表面に沿う帯状基部の幅方向縁が表面側へ折り曲げられた延出片とされ、裏面に係合溝を有するタイルの前記係合溝に前記延出片を係合可能とした長尺体とからなり、該長尺体の基部から前記壁基材へ打ちこんだ締結部材により前記長尺体と前記壁下地用壁板とが固定されるタイル貼り用建材。
【請求項２】
請求項１におけるタイル貼り用建材において、長尺体の基部裏面に長さ方向に沿った突条が形成され、壁下地用壁板表面に前記突条と嵌合する凹溝を設けてなるタイル貼り用建材。
【発明の詳細な説明】
【０００１】
【発明の属する技術分野】
この発明はタイル貼り用建材に関する。
【０００２】
【従来の技術】
表面にタイルを貼り付けた壁面を構築するための建材として、図７に示すように壁面に貼りつけられるタイル５の裏面５ａに蟻溝状の溝４を設けると共に、このタイル５が貼りつけられる下地用壁板２表面にタイル５の溝４に係合可能な突条２ａを形成し、この壁下地用壁板４を縦胴縁などの壁基材１０に釘又はビスなどの締結具９で固定し、次いでタイル５を突条２ａに引掛けるようにして配置し、接着剤１２などで固定していくようにしたものが知られている。
【０００３】
このようなタイル貼り壁面の構造は、タイル５を突条に引っ掛けていくだけであるので、施工が容易であり、従来では高度な熟練技術を要するとされていたタイル貼り施工が誰でも容易に可能になった利点を有する。
【０００４】
【発明が解決しようとする課題】
ところで、この施工に使用される下地用壁板４の表面に形成される突条２ａは、従来、無機質材料の押出成形により形成したり、あるいは一旦形成した壁板表面を研削することによって突条を作り出す事が行われる。
【０００５】
しかし、前者の押出成形の場合は、配合材料として高価な材料が必要で、配合コストが高価となる問題があるほか、押出成形だけでは精度が不自由分で、成形精度を良くするため最終的には若干研削加工を要する場合が多く、製造に手間がかかり、同時にこれら工程によって製造コストが高価となる問題があった。
【０００６】
後者の加工による場合は、突条はすべて後加工により取付けられるので製品としては、さらに高価となる問題があった。
この発明は上記問題を解消しタイル貼り壁面を構築する場合、その施工用建材として、施工性を損なうことなく安価に提供する事を課題としてなされたものである。
【０００７】
【課題を解決するための手段】
即ち、上記課題を解決するため請求項１の発明は、表面が平滑な基板であって、壁基材に固定可能な壁下地用壁板と、該壁下地用壁板表面に沿う帯状基部の幅方向縁が表面側へ折り曲げられた延出片とされ、裏面に係合溝を有するタイルの前記係合溝に前記延出片を係合可能とした長尺体とからなり、該長尺体の基部から前記壁基材へ打ちこんだ締結部材により前記長尺体と前記壁下地用壁板とが固定されるものである。
【０００８】
従って、この発明のタイル貼り用建材によれば、壁下地用壁板を長尺体と共に縦胴縁など壁基材に打ち付け固定し、以後、長尺体の延出片にタイル裏面の蟻溝を引っ掛け、裏面を壁下地用壁板に接着剤で接着固定していけば簡単にタイル壁を構築することができる。また、壁下地用壁板は、表面平滑な板材であるから引掛用の凸部を成形するための後加工も不要でコストも係らず安価に製造できる。
【０００９】
請求項２の発明は、請求項１におけるタイル貼り用建材において、長尺体の基部裏面に長さ方向に沿った突条が形成され、壁下地用壁板表面に前記突条と嵌合する凹溝を設けてなるものである。
【００１０】
従って、このタイル貼り用建材によれば、長尺体は壁下地用壁板表面に形成した凹溝に嵌合する突条によってしっかりと固定される。
【００１１】
【実施の形態】
次に、この発明の実施の形態であるタイル貼り用建材について説明する。
実施の形態１
図１は、この発明の実施の形態１であるタイル貼り用建材の分解斜視図、図２は組み立て状態を示す断面図である。
【００１２】
この発明の実施の形態１であるタイル貼り用建材１は、繊維補強セメントや合板などにより成形された板材であって、端面に接合用段部３、３が形成された壁下地用壁板２と、裏面に係合溝４を有するタイル５の係合溝４に係合できる延出片６を、壁下地用壁板２表面に沿う基部７に一体に折曲成形した長尺成形体８とから構成されている。
【００１３】
長尺成形体８は、アルミ軽合金などの金属製のほか硬質プラスチック製などとされ、長尺成形体８は釘又はビス９により壁下地用壁板３を貫通して縦胴縁などの壁基材１０、１０に共に固定される。
【００１４】
また、図中１１は釘又はビス９用の貫通孔を示し、縦胴縁などの壁基材１０の設置間隔Ｔに合わせて設けられる。
次に、この発明のタイル貼り用建材の使用状態を説明する。
【００１５】
まず、縦胴縁などの壁基材１０、１０に壁下地用壁板２を所定の位置に配置し、表面に長尺成形体８をタイル貼り位置に合わせて配置し、貫通孔１１を壁基材１０の間隔に合わせて表面から長尺成形体８を配設し、釘又はビス９を壁基材まで打ちこんで固定する。
【００１６】
なお、図２に示すように壁下地用壁板２は、端面の接合用段部３、３同士を嵌め合わせて接合する。
そして、壁下地用壁板２と長尺成形体８を固定すれば、タイル５を、その裏面に形成された嵌合溝４を延出片６に引っ掛け、裏面に接着剤１２を塗布又は盛りつけて固定していく。
【００１７】
従って、タイル貼り作業は、壁下地用壁板２に長尺成形体８を固定したあと、引掛ける作業だけで良く、タイル貼り作業は容易に実施できる。
また、このタイル貼りの基面となる壁下地用壁板２は、表面が平滑な板であるので成形も容易出あるので安価に提供できる。
【００１８】
実施の形態２
図３は実施の形態２のタイル貼り用建材の要部斜視図、図４は組み立て状態を示す断面図である。
【００１９】
この実施の形態２のタイル貼り用建材１は、実施の形態１のタイル貼り用建材における長尺成形体８の基部７の裏面に嵌合用突条１３を形成すると共に、壁下地用壁板２の対応する表面に嵌合用凹溝１４を形成した点に特徴があり、他は実施の形態１と同じであるので、同一部分は同じ符号を付し詳細な説明は省略する。　図３において、下地用壁板２の嵌合用凹溝１４は、壁下地用壁板２を成形したあと、ルーターなどの工具により形成されるが、この凹溝１４は幅、深さ共に小さいので成形は容易に行える。
【００２０】
また、長尺成形体８の嵌合用突条１３は、アルミ軽合金製の場合は、引き抜き成形で、硬質プラスチック製の場合は押出成形などで一体成形されるのでやはり成形は容易に行える。
【００２１】
そして、この実施の形態２のタイル貼り用建材でタイル貼り施工する場合は、嵌合用突条１３を壁下地用壁板２の嵌合用凹溝１４に、必要に応じ接着剤などを塗布した上で嵌合し、釘あるいはビス９で固定していく。
【００２２】
この場合は、タイル５を支持する長尺成形体８が相互に嵌合する突条１３と凹溝１４で確実に固定される。
上記実施の形態１あるいは２における長尺成形体として、図５あるいは図６に示すような形態としても良い。
【００２３】
即ち、図５、図６は上記実施の形態の他の構成例を示すもので、実施の形態１のタイル貼り用建材における長尺成形体８が、金属基板７ａとされ、その表面に延出片６、６を折り返して設けて構成したもので、図示例は２段とされているが、これよりも多い多段構成としても良い。
【００２４】
なお、他の部分は上記実施の形態１と同じであるので、同一部分は同じ符号を付し詳細な説明は省略する。
図５において、長尺成形体８は、必要な大きさの薄鋼鈑、例えばステンレス板の縁片並びに中間部に形成した切り抜き部を折り返すことによって延出片６、６としたもので、プレス成形などで容易に成形される。
【００２５】
そして、この長尺成形体８と壁下地用壁板２を壁基面１０に固定した後は、延出片６にタイル５裏面の係合溝４を引っ掛け、接着剤により接着固定していくのである。
【００２６】
この他の構成例による場合は、複数列の延出片が一回の取りつけ作業で一気に完了するので作業が迅速に出来る効果がある。
【００２７】
【発明の効果】
以上説明したように、請求項１の発明によれば、タイルを貼りつける壁下地用壁板２が、表面平滑な板とされているので、壁下地用壁板の成形が非常に容易で安価に提供できる。また、タイルを引っ掛けるための延出片を有する長尺成形体も容易に成形可能で、取付け施工も手間がかからないため、全体として安価に且つ容易にタイル貼り壁面の施工が実施できるのである。
【００２８】
請求項２の発明の場合は、長尺成形体の固定位置が正確に出来ると共に、固定強度も強くする事ができるのである。
【図面の簡単な説明】
【図１】この発明の実施の形態１のタイル貼り用建材の斜視図である。
【図２】この発明の実施の形態１のタイル貼り用建材の組立て状態を示す断面図である。
【図３】この発明の実施の形態２のタイル貼り用建材の斜視図である。
【図４】この発明の実施の形態２のタイル貼り用建材の組立て状態を示す断面図である。
【図５】この発明の実施の形態のタイル貼り用建材の他の構成例の斜視図である。
【図６】この発明の実施の形態のタイル貼り用建材の他の構成例における組立て状態を示す断面図である。
【図７】従来のタイル貼り用建材の断面図である。
【符号の説明】
１　　　タイル貼り用建材
２　　　壁下地用壁板
３　　　接合用段部
４　　　係合溝
５　　　タイル
６　　　延出片
７　　　基部
８　　　長尺成形体
９　　　締結具
１０　　　壁基材
【図１】
2004052475.tif 000003
【図２】
2004052475.tif 000004
【図３】
2004052475.tif 000005
【図４】
2004052475.tif 000006
【図５】
2004052475.tif 000007
【図６】
2004052475.tif 000008
【図７】
2004052475.tif 000009